(57)【要約】【課題】施工が容易で、隅棟部における良好な通気環境を実現し得る寄棟屋根の隅棟部の換気構造を提供することを課題とする。【解決手段】隅木１の上面において野地板２，２が隅木１の幅以上にオフセットされ、隅木１の上面の野地板２，２間に隅木通気材３，３が配置され、垂木４，４間の空気が隅木通気材３，３を通って排気されるようにした。隅木通気材３，３は隅木の水下から水上にかけて設置され、隅木通気材３，３を通り抜けた空気は、その水上の野地板２，２間の空間を抜けて、棟通気部の通気路内に流入して大気に放出される。【選択図】図１
2019065616.tif 000002
【特許請求の範囲】
【請求項１】
隅木の上面において野地板が前記隅木の幅以上にオフセットされ、前記隅木の上面の前記野地板間に隅木通気材が配置され、垂木間の空気が前記隅木通気材を通って排気可能であることを特徴とする寄棟屋根の隅棟部の換気構造。       
【請求項２】
前記隅木通気材は前記隅木の水下から水上にかけて設置され、前記隅木通気材を通り抜けた空気は、その水上の前記野地板間の空間を抜けて、棟通気部の通気路内に流入して大気に放出される、請求項１に記載の寄棟屋根の隅棟部の換気構造。
【請求項３】
前記隅木通気材の上側の屋根材の端面間が隔てられて開口され、その開口部を覆うように換気装置が配置され、前記隅木通気材を通り抜けた空気は、前記開口部から前記換気装置内に流入して大気に放出される、請求項１に記載の寄棟屋根の隅棟部の換気構造。
【請求項４】
前記隅木通気材は、プラスチック製プレートに、先端部を平坦にした円錐体を密に設けた通気プレートを２枚、前記円錐体の頂面同士を当接させて貼り合わせて成る原材を帯状に裁断し、幅方向一側面が斜面にカットされて逆台形状にされたものである、請求項１乃至３のいずれかに記載の寄棟屋根の隅棟部の換気構造。
【発明の詳細な説明】
【技術分野】
【０００１】
本発明は、寄棟屋根の隅棟部の換気構造に関するものである。
【背景技術】
【０００２】
棟の四方に流れる４つの斜面で形成される屋根である寄棟屋根は、近時、日照権等による法規制の関係から、一般住宅のみならず、アパート等にも採用されることが多くなってきている。この寄棟屋根の場合、切妻屋根に比べて棟換気部が短くなるため、その隅棟部においても換気を行うことが要請される。その他の隅棟部を有する屋根についても同様である。
【０００３】
隅木と垂木の上端が同一仕上げ面になっている寄棟における隅棟部の一般的な収まり構造において、屋根断熱の場合は、各通気経路（垂木４，４間）が独立していて、通気の出口が塞がった状態の場合が多い（図６参照）。また、平棟長さが短い場合は、棟部に十分な換気用開口を設けることができないため、隅棟部に躯体開口して換気材を設置する必要性が生ずる。しかし、その現場施工は容易ではなく、大変な作業となる。
【先行技術文献】
【特許文献】
【０００４】
【特許文献１】特開平１０−２３８０４７号公報
【特許文献２】特開２０１７−４０１０５号公報
【発明の概要】
【発明が解決しようとする課題】
【０００５】
上述したように、寄棟屋根の場合、切妻屋根に比べて棟換気部が短くなるため、隅棟部においても換気を行う必要性が生ずるが、従来、隅棟部についての好適な換気構造は提供されていない。  
【０００６】
そこで本発明は、施工が容易で、隅棟部における良好な通気環境を実現し得る寄棟屋根の隅棟部の換気構造を提供することを課題とする。
【課題を解決するための手段】
【０００７】
上記課題を解決するための請求項１に記載の発明は、隅木の上面において野地板が前記隅木の幅以上にオフセットされ、前記隅木の上面の前記野地板間に隅木通気材が配置され、垂木間の空気が前記隅木通気材を通って排気可能であることを特徴とする寄棟屋根の隅棟部の換気構造である。    
【０００８】
一実施形態においては、前記隅木通気材は前記隅木の水下から水上にかけて設置され、前記隅木通気材を通り抜けた空気は、その水上の前記野地板間の空間を抜けて、棟通気部の通気路内に流入して大気に放出される。
【０００９】
他の実施形態においては、前記隅木通気材の上側の屋根材の端面間が隔てられて開口され、その開口部を覆うように換気装置が配置され、前記隅木通気材を通り抜けた空気は、前記開口部から前記換気装置内に流入して大気に放出される。
【００１０】
また、一実施形態における前記隅木通気材は、プラスチック製プレートに、先端部を平坦にした円錐体を密に設けた通気プレートを２枚、前記円錐体の頂面同士を当接させて貼り合わせて成る原材を帯状に裁断し、幅方向一側面が斜面にカットされて逆台形状にされたものである。
【発明の効果】
【００１１】
本発明に係る寄棟屋根の隅棟部の換気構造は上記構成であるため、施工容易で、屋根断熱及び天井断熱のいずれの場合においても、隅棟部における良好な通気環境を実現し得る効果がある。
【図面の簡単な説明】
【００１２】
【図１】本発明に係る寄棟屋根の隅棟部の換気構造の第１の実施形態の縦断面図である。
【図２】本発明に係る寄棟屋根の隅棟部の換気構造の第１の実施形態の横断面図である。
【図３】本発明に係る寄棟屋根の隅棟部の換気構造に用いられる隅木換気材の構成例を示す図である。
【図４】本発明に係る寄棟屋根の隅棟部の換気構造の第２の実施形態の縦断面図である。
【図５】本発明に係る寄棟屋根の隅棟部の換気構造の第２の実施形態の施工状態を示す斜視図である。
【図６】従来の隅棟部の構造図である。
【発明を実施するための形態】
【００１３】
本発明を実施するための形態につき、添付図面を参照しつつ詳細に説明する。図１，２は、本発明に係る寄棟屋根の隅棟部の換気構造の第１の実施形態の収まり例を示すもので、そこには、屋根断熱の場合が示されている。その換気構造は、隅木１の上面において野地板２，２が隅木１の幅以上にオフセットされ、隅木１の上面の野地板２，２間に隅木通気材３，３が配置され、垂木４，４間の空気が隅木通気材３，３を経て大気に放出可能にされる。垂木４，４間には、隅木１に突き当たるようにして、屋根断熱のための断熱材６，６が施工されている。また、野地板２，２及び隅木通気材３，３の上にルーフィング（図示してない）を介して屋根材７，７が配置され、その継ぎ目を被覆するように棟包８が設置される。
【００１４】
隅木通気材３，３は、例えば、プラスチック製プレート、即ち、例えば厚さ０．１〜０．３ｍｍ程のポリプロピレン等製の薄手のプレートに、エンボス加工等によって、先端部を平坦にした高さ５〜１０ｍｍ程の円錐体３ａを密に設けた通気プレートを設け、その通気プレートを２枚、その円錐体３ａの頂面同士を当接させて貼り合わせて成る原材を、帯状に裁断して形成される（図３参照）。そして、幅方向一側面が斜面３ｂにカットされて逆台形状にされ、上面に両面テープ３ｃが、幅方向に延出するように張着される。
【００１５】
かかる構成の隅木通気材３，３は、圧潰力に対してかなりの抵抗力を示す通気プレートを、その円錐体３ａ同士が向かい合うようにして貼り合わせて構成されるため、より一層強度を有するものとなる。また、その構成の場合、突合された円錐体３ａ間に、通気路となるのに十分な広さの菱形の間隙が確実に形成保持されるので、強度と通気性とを併せ有するものとなり、ここで用いる通気材として好適である。
【００１６】
野地板２，２は、隅木１の上面において隅木１の幅以上にオフセットされ、そこに一対の隅木通気材３，３の配置スペースが生成される。一対の隅木通気材３，３はそれぞれ、隅木１の上面傾斜面に、その底面の端部を隅木１の上面傾斜面の端部に合わせて載置し、両面テープ３ｃを野地板２，２上に接着して固定する（図１参照）。その状態において、斜面３ｂと野地板２，２の端面との間に通気空間５，５が生成され、垂木４，４間の空気は、この通気空間５，５から隅木通気材３，３内に流入する。
【００１７】
この第１の実施形態の場合、通気空間５，５から隅木通気材３，３内に流入した空気は、隅木通気材３，３を幅方向に通流して隅木通気材３，３間の通気路９に抜け、そこを水上側に移動する（図２参照）。そして、隅木通気材３，３を長さ方向に通り抜けた空気は、更に水上側の野地板２，２間のスリット１０内を棟に向かって上昇し、棟部の野地板２，２間のスリット１０ａ内に流入し、棟部換気装置を経て大気に放出される。棟部換気装置は特に限定されるものではなく、任意の構成のものを用いることができる。
【００１８】
図４は、本発明に係る寄棟屋根の隅棟部の換気構造の第２の実施形態の収まり例を示すものである。ここに図示された例は、天井断熱の場合のものである。この場合の換気構造は、隅木１の上面において野地板２，２が隅木１の幅以上にオフセットされ、隅木１の上面の野地板２，２間に隅木通気材３，３が配置され、垂木４，４間の空気が隅木通気材３，３を経て大気に放出可能にされる点は、第１の実施形態と同じである。
【００１９】
この第２の実施形態の場合は、隅木通気材３，３の上側の屋根材７，７の端面間が大きく隔てられることによって開口部１７が設けられ、その開口部１７を覆うように換気装置１１が配置される。図示した例における換気装置１１は、山形に形成される、通例、金属製のカバー材１２と、カバー材１２内に配備される一対の通気部材１４，１４から成る。カバー材１２の山形形状の角度は、本装置が設置される隅棟部の野地板２，２（屋根材７，７）のなす角度に対応するように、予め、あるいは、現場において設定される。
【００２０】
通気部材１４，１４は、幅方向（図において左右方向）に通気する多数の通気路を有するもので、通例、幅方向に抜ける通気路を並設したプラスチック板を多数段積層し、熱線で溶断して所定幅にすると共に一体化する公知の方法により製造することができる（特許第２６１０３４２号公報等参照）。 カバー材１２の両端は直角に折曲され、そこに桟木２１が収まり、カバー材１２の上から桟木２１を通して屋根材７，７にくぎ留めされる。また、カバー材１２の両傾斜面の中間部に、長さ方向に延びる通気開口１３が形成される。通気開口１３は一連のものであってもよいが、通例、図５に示されるように、長尺の開口を適宜間隔置きに開設したものとされる。
【００２１】
好ましくは、カバー材１２裏面の中央部、即ち、通気部材１４，１４設置部の内側に、長さ方向に延びる結露防止材１５が定着される。結露防止材１５としては、通例、厚さ１〜２ｍｍ程度の発泡ポリエチレンシート材が用いられる。また、好ましくは、換気装置１１の空間部内に立ち上がる水切り２２が、隅木通気材３，３と屋根材７，７の間に挟持されて配設される。
【００２２】
隅棟の場合は水下側棟包２４を取り付け、その後桟木２１を屋根材７，７から野地板２，２にかけてくぎ留めした後、裏面に通気部材１４，１４と結露防止材１５を固定した換気装置１１を、開口部１７を塞ぐように被装する。その際、カバー材１２の両側の角部内に桟木２１が収まるようにし、また、カバー材１２の水下側端部が、水下側棟包２４上に所定量（例えば７５ｍｍ）オーバーラップするようにする。そして、最後に水上側棟包２３が、その端部がカバー材１２の水上側端部上に所定量（例えば７５ｍｍ）、オーバーラップするように取り付けて施工完了となる（図５参照）。
【００２３】
この第２の実施形態の場合、天井断熱のための断熱材（図示してない）と野地板２，２との間に大きな空間が生成される。この空間内の空気は、上記第１の実施形態の場合と同様に、各垂木４，４間から、通気空間５，５を通って隅木通気材３，３内に流入して、開口部１７に流出する。そして、開口部１７内の空気は、通気部材１４，１４を経て通気開口１３から大気に放出される。
【００２４】
本発明に係る寄棟屋根の隅棟部の換気構造は上記構成であるため、施工容易で、隅棟部における良好な通気環境を実現し得るものであり、その産業上の利用可能性は大である。
【符号の説明】
【００２５】
１                隅木  
２                野地板  
３                隅木通気材
４                垂木
５                通気空間
６                断熱材
７                屋根材
８                棟包  
９                通気路  
１０，１０ａ      スリット
１１              換気装置    
１３              通気開口
１７              開口部  
【図１】
2019065616.tif 000003
【図２】
2019065616.tif 000004
【図３】
2019065616.tif 000005
【図４】
2019065616.tif 000006
【図５】
2019065616.tif 000007
【図６】
2019065616.tif 000008